(57)【要約】【課題】検査のための待ち時間を少なくするとともに、患者に検査順や待ち時間を提示し、検査順や待ち時間に変更がある場合は通知可能にした医療検査支援システムを提供する。【解決手段】ネットワークを介して接続された複数の医療用の検査機器と、複数の検査機器での検査にかかる所要時間を予測して、被検査者の待ち時間が少ない検査機器を選択して検査を振り分ける振り分け部と、被検査者が選択された検査機器による検査を含む複数の検査を要する場合に、複数の検査の順序を設定するとともに検査項目毎に所要時間を算出し、検査順序及び待ち時間の情報を含む伝達情報を被検査者別に生成する情報管理部とを備え、情報管理部で生成した伝達情報を情報提供用の端末装置に表示可能にする。【選択図】図１
2009134424.tif 000002
【特許請求の範囲】
【請求項１】
ネットワークを介して接続された複数の医療用の検査機器と、
前記複数の検査機器での検査にかかる所要時間を予測して、被検査者の待ち時間が少ない検査機器を選択して検査を振り分ける振り分け部と、
被検査者が前記選択された検査機器による検査を含む複数の検査を要する場合に、前記複数の検査の順序を設定するとともに検査項目毎に所要時間を算出し、前記検査順序及び待ち時間の情報を含む伝達情報を被検査者別に生成する情報管理部と、を具備し、
前記情報管理部で生成した前記伝達情報を情報提供用の端末装置に表示可能にしたことを特徴とする医療検査支援システム。
【請求項２】
前記振り分け部は、前記検査機器を備える複数の検査室での検査技師、検査部位毎の平均検査時間データを保管したデータベースと、前記データベースに保管した平均検査時間データをもとに検査待ち時間を算出し前記持ち時間の少ない検査機器を選択する演算部と、を具備したことを特徴とする請求項１記載の医療検査支援システム。
【請求項３】
前記情報管理部は、前記被検査者の少なくとも検査順序及び待ち時間が変更になった場合に、変更された伝達情報を生成することを特徴とする請求項１記載の医療検査支援システム。
【請求項４】
前記情報管理部は、前記被検査者の少なくとも検査順序及び待ち時間が変更になった場合に、変更された伝達情報をアラート表示可能な形式で生成することを特徴とする請求項３記載の医療検査支援システム。
【請求項５】
前記情報提供用の端末装置は、前記ネットワークに接続された情報端末で成り、前記情報端末に被検査者が識別情報を入力するか、識別用媒体を挿入することで前記情報管理端末にアクセスして前記伝達情報を取得可能にしたことを特徴とする請求項１記載の医療検査支援システム。
【請求項６】
前記情報管理部によって生成された前記伝達情報を前記情報提供用の端末装置に無線通信する通信装置を備え、
前記通信装置は、患者毎に設定した識別情報を利用して、それぞれの患者毎に前記伝達情報を送信することを特徴とする請求項１記載の医療検査支援システム。
【請求項７】
ネットワークを介して接続された複数の医療用の検査機器を備え、
前記複数の検査機器での検査にかかる所要時間を予測して、被検査者の待ち時間が少ない検査機器を選択して検査を振り分け、
被検査者が前記選択された検査機器による検査を含む複数の検査を要する場合に、前記複数の検査の順序を設定し、
前記複数の検査項目毎に所要時間を算出して前記検査順序及び待ち時間の情報を含む伝達情報を被検査者別に生成し、
前記生成した前記伝達情報を情報提供用の端末装置に表示することを特徴とする医療検査支援方法。
【請求項８】
前記検査の振り分けは、前記検査機器を備える複数の検査室での検査技師、検査部位毎の平均検査時間データをもとに検査待ち時間を算出し、前記持ち時間の少ない検査機器に被検査者を振り分けることを特徴とする請求項７記載の医療検査支援方法。
【請求項９】
前記被検査者の少なくとも検査順序及び待ち時間が変更になった場合に、変更された伝達情報を生成し、前記変更された伝達情報を前記情報提供用の端末装置に表示することを特徴とする請求項７記載の医療検査支援方法。
【請求項１０】
前記伝達情報は、被検査者毎に設定した識別情報を用いて前記情報提供用の端末装置に伝達されることを特徴とする請求項７記載の医療検査支援方法。
【発明の詳細な説明】
【技術分野】
【０００１】
本発明は、放射線撮影装置等を利用した医療検査において、検査のための待ち時間を低減するとともに、検査順や待ち時間等を被検査者に提供可能にした医療検査支援システム及び医療検査支援方法に関するものである。
【背景技術】
【０００２】
一般に、医療機関では、Ｘ線ＣＴ装置（Ｘ線コンピュータトモグラフィ装置）、ＭＲＩ装置（磁気共鳴イメージング装置）、Ｘ線撮影装置等の画像診断装置が使用されている。また、医療機関内の情報を管理するＨＩＳ（Hospital Information System）や、放射線科内の情報を管理するＲＩＳ（Radiology Information System）、或いはＰＡＣＳ（Picture Archiving Communication System）等の画像ファイル通信保管システムが構築され、情報伝達のオンライン化が図られている。これにより、医用画像の撮影オーダーの予約受付けや、医療機器の利用状況等を管理できるようになっている。
【０００３】
ところで、従来では撮影オーダーの予約受付けがあった場合、頭部、胸部といった検査パターンに応じて検査室を決定し、複数ある検査室のいずれかで検査を実施するように振り分けを行っている。しかしながら、従来の振り分け方法では、患者の待ち状況が考慮されておらず、同様の検査が連続して受付けされた場合、特定の検査室のみが混雑するという問題がある。
【０００４】
そのほかに待ち時間が増大する要因としては、幾つかの例が挙げられる。例えば、患者の検査項目が予想以上に増えた場合や、患者の体調悪化により検査室が占有される場合等がある。また、検査技師毎に習熟度が異なるため、不慣れな技師が検査を行う場合は時間がかかってしまう。さらには、検査技師の人数に対して患者人数が多過ぎる場合等も待ち時間の増加につながる。
【０００５】
このため、患者の待ち時間を短縮するために各種のシステムが提案されている。例えば、特許文献１には、撮影技師、検査部位、撮影室毎の平均検査時間を算出して撮影室毎の待ち時間を算出し、患者に最も待ち時間の少ない撮影室を案内する医用画像撮影システムが記載されている。
【０００６】
しかしながら従来では、撮影室の振り分けにより患者の待ち時間を短縮することはできるが、患者に対して検査順や待ち時間の情報を提供する手段を持ち合わせていないため、さらなる改善の余地が残されている。
【０００７】
例えば、患者自身は待ち時間がどれ位かかるのか分からないため、医療機関内の待合室、検査室等で待つことになる。特に同一日に複数の検査を行うような場合は、１つの検査が終了した後、次の検査でも待ち時間が発生するため、トータルすると長時間待たされることになる。また前の患者の検査が長引いた場合は、待ち時間も長くなり、同じ場所で長時間待たされることは患者を苛立たせる要因となる。
【特許文献１】特開２００７−２０２６７８号公報
【発明の開示】
【発明が解決しようとする課題】
【０００８】
従来の検査支援システムでは、患者の待ち時間を短縮するために或る程度の工夫がなされているものの、患者に対して待ち時間がどれ位かかるかを提示することができないため、患者は待合室、検査室等の同じ場所で長時間待たされることが多かった。
【０００９】
本発明は上記事情に鑑みて成されたもので、検査のための待ち時間を少なくするとともに、検査機器別に検査の待ち時間を算出し、患者に検査順や待ち時間を提示し、検査順に変更がある場合は、その旨を通知可能にした医療検査支援システム及び医療検査支援方法を提供することを目的とする。
【課題を解決するための手段】
【００１０】
請求項1記載の本発明の医療検査支援システムは、ネットワークを介して接続された複数の医療用の検査機器と、前記複数の検査機器での検査にかかる所要時間を予測して、被検査者の待ち時間が少ない検査機器を選択して検査を振り分ける振り分け部と、被検査者が前記選択された検査機器による検査を含む複数の検査を要する場合に、前記複数の検査の順序を設定するとともに検査項目毎に所要時間を算出し、前記検査順序及び待ち時間の情報を含む伝達情報を被検査者別に生成する情報管理部と、を具備し、前記情報管理部で生成した前記伝達情報を情報提供用の端末装置に表示可能にしたことを特徴とする。
【００１１】
また、請求項７記載の本発明の医療検査支援方法は、ネットワークを介して接続された複数の医療用の検査機器を備え、前記複数の検査機器での検査にかかる所要時間を予測して、被検査者の待ち時間が少ない検査機器を選択して検査を振り分け、被検査者が前記選択された検査機器による検査を含む複数の検査を要する場合に、前記複数の検査の順序を設定し、前記複数の検査項目毎に所要時間を算出して前記検査順序及び待ち時間の情報を含む伝達情報を被検査者別に生成し、前記生成した前記伝達情報を情報提供用の端末装置に表示することを特徴とする。
【発明の効果】
【００１２】
本発明の一実施形態によれば、複数の検査を要する場合に、被検査者を短い待ち時間の検査室に割り振ることができる。また検査の順番や、各検査に要する待ち時間を被検査者にリアルタイムで提供することができ、検査順や待ち時間に変更があった場合でも、被検査者はそれを確認することができる。
【発明を実施するための最良の形態】
【００１３】
以下、この発明の一実施の形態について図面を参照して詳細に説明する。
【実施例１】
【００１４】
図１は、本発明の医療検査支援システムの構成を示すシステム図である。
【００１５】
図１において、１００は病院等の医療機関に構成されたＨＩＳ（Hospital Information System）であり、ネットワーク１１０には、医療機関の各部門の端末装置１２１，１２２…が接続されている。部門としては、受付部門、診療部門、薬剤部門、会計部門等があり、以下の説明では、受付部門１２１、診療部門１２２がネットワーク１１０に接続されている場合を例に述べる。
【００１６】
また、ネットワーク１１０には、検査部門として例えば生理検査部門１３１、検体検査部門１３２等が接続されている。生理検査部門１３１は、脳波や心電図検査等を行う。また検体検査部門１３２は、血液検査や、尿検査等を行う
また２００は、ＲＩＳ（Radiology Information System）であり、ネットワーク２１０に接続された画像診断装置、例えばＸ線ＣＴ装置２２０，ＭＲＩ装置２３０，Ｘ線撮影装置２４０及び受付装置２５０等を管理する。これら、Ｘ線ＣＴ装置２２０，ＭＲＩ装置２３０，Ｘ線撮影装置２４０等は、それぞれ検査室内に配置されている。
【００１７】
またネットワーク２１０には、ＰＡＣＳ（Picture Archiving Communication System）２６０が接続されており、ＰＡＣＳ２６０には画像データベース２７０が接続されている。ＲＩＳ２００及びＰＡＣＳ２６０は、ＨＩＳ１００のネットワーク１１０にも接続されている。さらに、ネットワーク１１０には、情報管理端末１０、情報端末１１、通信装置１２が接続されており、ネットワーク２１０にはＲＩＳサーバ２０が接続されている。
【００１８】
情報管理端末１０は、医療機関側のユーザ（医師、技師等）が操作するものであり、患者の待ち時間等を管理する情報管理部を構成する。また、情報端末１１は患者が操作可能な情報提供用の端末装置であり、患者自身が検査の順番や、待ち時間等を確認する際に使用するものである。また通信装置１２は、医療機関が管理する携帯端末１３や患者個人が所有する携帯端末（携帯電話等）１４に対して情報を伝達するものである。
【００１９】
一方、受付装置２５０は、入力部，表示部を有し、ネットワーク２１０を介してＲＩＳサーバ２０にアクセス可能である。受付装置２５０は、患者の撮影が必要な場合に、患者の状態に応じて放射線撮影の検査パターン（撮影種別、検査部位など）を入力し、医用画像の撮影オーダーの予約受付けを行う。
【００２０】
尚、以下の説明では画像診断装置２２０〜２４０での医用画像の撮影や、検査部門１３１，１３２での各種の検査を総称して検査と呼ぶ場合もある。また検査を行う患者を被検査者と呼ぶ。さらに、撮影を行う画像診断装置や各種の検査を行う機器を総称して検査機器と呼ぶ場合もある。
【００２１】
ＲＩＳサーバ２０は、振り分け部を構成するもので、受付装置２５０からの撮影オーダーを受けて、各検査室（撮影室）の使用状況を確認し、検査室毎に患者の待ち時間を計算して、複数ある検査室のいずれかに検査の実施を振り分けるための演算処理を行う。ＲＩＳサーバ２０は、複数のテーブルで構成されるデータベース３０、及び演算処理を行う演算部４０を備えており、最も待ち時間の少ない検査室を決定する。
【００２２】
ＲＩＳサーバ２０は、特許文献１で示すような構成を有するものであるが、以下にＲＩＳサーバ２０の構成と機能について簡単に説明する。
【００２３】
図２は、ＲＩＳサーバ２０におけるデータベース３０の各種テーブルと、検査室を自動振り分けするための演算部４０の構成を示すブロック図である。
【００２４】
データベース３０は、検査室マスターテーブル３１、技師マスターテーブル３２、部位マスターテーブル３３、実施可能検査室マスターテーブル３４、平均検査時間管理テーブル３５、実施結果管理テーブル３６を備えている。また演算部４０は、撮影技師、検査部位、検査室毎の所定の期間（例えば前月）の平均検査時間を算出する第１のロジック部４１と、検査室毎の現在の待ち時間を算出して検査室を決定する第２のロジック部４２を有している。
【００２５】
各マスターテーブル３１〜３３には、検査室、撮影技師、検査部位毎の各種のデータが保管されている。マスターテーブル３４には、検査パターン毎に、撮影実施可能な検査室を指定するための各種データが保管されている。保管データとしては、例えば、撮影種別、検査部位、撮影方法、撮影方向、造影剤の有無等の検査パターンに応じて撮影を実施可能な検査室のデータが記憶されている。撮影実施可能な検査室が複数ある場合は、すべて記憶されている。
【００２６】
さらに、テーブル３５には、撮影技師、検査部位、及び検査室毎の検査時間のデータが保管されており、それらデータが所定の期間（例えば１ケ月）毎に更新されるようになっている。この検査時間のデータは検査室毎の待ち時間を算出する際に使用される。実施結果テーブル３６には検査室、技師、部位毎に、検査撮影のために要した検査時間データとして撮影開始時刻と撮影終了時刻のデータが保管されている。
【００２７】
図３（ａ）は、平均検査時間を算出する第１のロジック部４１の動作を説明するフローチャートである。図３（ａ）において、ステップＳ１では、テーブル３６のレコードを検索し、前月のデータであるかどうかを判別する。前月の判別データ（ＹＥＳ）であれば、次のステップＳ２に進み、撮影技師、検査部位、検査室毎の検査時間を算出する。
【００２８】
この検査時間の算出は、検査終了時刻から検査開始時刻を減算して検査時間を割り出し、さらに前月の検査回数が複数ある場合は、複数回分の検査時間を加算して前月分のトータルの検査時間Σを求め、それを検査回数で除算して前月の１回あたりの検査時間を撮影技師、検査部位、検査室毎に算出する。そしてステップＳ３では、ステップＳ２で算出した結果を上記テーブル３５に登録する。こうして、定期的に平均検査時間を自動算出する。
【００２９】
図３（ｂ）は、検査室毎に現在の待ち時間を予測して検査室を決定する第２のロジック部４２の動作を説明するフローチャートである。このフローでは、受付時に、撮影が実施可能な検査室の現在の待ち時間を算出するものである。
【００３０】
図３（ｂ）において、ステップＳ１１では、撮影を実施可能な検査室の有無を判別する。ここでは、検査室の準備が整っているか、撮影技師が居るかといった判断を行い、撮影を実施可能な検査室の候補を選出する。つまりテーブル３４を参照し受付けオーダーが撮影可能な検査室を抽出する。ステップＳ１２では、選出された検査室毎に先に求めた検査時間（テーブル３５）を参照し、現在の待ち患者の検査内容から撮影可能な検査室毎に待ち時間を演算する。ステップＳ１３では、待ち時間が最も短い検査室を決定する。
【００３１】
演算結果は受付装置２５０の表示部に表示され、患者に検査室の案内を行う。これにより、患者の待ち時間が最も少ない検査室に検査の実施を振り分けることができる。なお、各検査室では撮影が終了した時点で、技師によって終了の入力が行われ、ネットワーク２１０を介してＲＩＳサーバ２０に伝達するようにしている。  
こうして、検査室を振り分ける際には、患者の撮影種別、検査部位等の検査パターンと、撮影技師による検査部位毎、検査室毎の検査時間をもとに、検査室毎の待ち時間を算出して検査室を決定するため、患者には最も待ち時間の少ない検査室を案内することができる。なお、各検査室での撮影状況はネットワーク２１０を介してＲＩＳサーバ２０に送られるため、撮影が予定よりもずれた場合は、それに合わせて検査室の変更も可能である。
【００３２】
また、経験の浅い技師であっても、経験を積むに従って検査時間が短くなることが予想されるが、所定の期間、例えば１ケ月毎に検査時間の集計データを更新することにより、常に最新のデータをもとに検査時間を算出することができるため、待ち時間の算出を適正に行うことができる。
【００３３】
このようにＲＩＳサーバ２０は、同様の検査を連続して受付けした場合も、自動的に検査室を分散させることができる。また、撮影技師、検査部位、検査室によって平均検査時間を管理するため、検査の特徴や技師の能力に応じた待ち時間の算出が可能となる。
【００３４】
次に、情報管理端末１０の機能について説明する。
【００３５】
情報管理端末１０は、ネットワーク１１０を介して受付部門１２１、診療部門１２２、検査部門１３１，１３２に接続されており、さらにＲＩＳ２００及びネットワーク２１０を介してＲＩＳサーバ２０に接続されている。これによりＲＩＳサーバ２０によって算出された待ち時間情報等が情報管理端末１０に取り込まれる。
【００３６】
診療部門１２２では、医師により、患者の容態に応じてどのような検体検査が必要か、どのような画像撮影が必要かといった判断がなされ、関連する部門に通知される。また情報管理端末１０に検査項目の情報が送られる。
【００３７】
また、生理検査部門１３１は、脳波や心電図検査等を行うが、これらの検査についてもＲＩＳサーバ２０と同様の手法を用いることにより、検査室の振り分けや検査の待ち時間の算出を行うことができ、算出した情報が情報管理端末１０に取り込まれる。
【００３８】
さらに、検体検査部門１３２では、血液検査や、尿検査等を行うが、これら検査は一般的にそれほど時間がかからないため、統計的なデータを基に検査時間を設定することができる。したがつて検査する人数と検査時間を掛ければ待ち時間を算出できる。これらの情報も情報管理端末１０に取り込まれる。
【００３９】
情報管理端末１０は、取り込んだ情報をもとに、被検査者の検査項目と検査の順序を決定する。例えば画像診断装置による撮影や、血液検査等の複数の検査を要する場合、それら個々の検査の順番を設定する。この場合、個々の検査に要する時間を分析して、検査の順番を変更することもできる。
【００４０】
例えばＸ線撮影検査と血液検査が必要な場合において、Ｘ線撮影に時間がかかる場合は、その待ち時間の合間に血液検査を割り込ませるといったスケジューリングが可能となる。勿論、複数の検査があって検査の順序を変えることができない場合は、順番にしたがって検査が行われる。
【００４１】
こうして、情報管理端末１０は、被検査者に対する検査の順番を設定し、検査の順序や各検査の待ち時間の情報等を含む伝達情報を生成する。また検査順や待ち時間、検査室の変更等が生じた場合は、伝達情報を変更する。こうして被検査者別に伝達情報が生成され、情報管理端末１０から情報端末装置に送信するようにしている。
【００４２】
被検査者に対して伝達情報を通知する手段としては、待合室の掲示板に表示する方法があるが、本発明の実施形態では、以下の（１）〜（３）に述べるような情報提供用の端末装置を使って通知するようにしている。
【００４３】
（１）医療機関内に据置かれた情報端末１１を使用して、被検査者に情報を提供する。この場合、被検査者は患者識別情報、例えば患者名、患者ＩＤを入力することで情報管理端末１０から当該被検査者のみに検査順や待ち時間等の情報が提供される。或いは、医療機関側が患者に対して提供したＩＤカード（磁気カード、ＩＣカード等の識別用の媒体）１５を情報端末１１に差し込むことで、当該被検査者のみに情報が提供されるようにしても良い。情報端末１１を医療機関内の随所に配置することで患者は、任意の場所で情報を入手することができる。
【００４４】
また検査順や待ち時間が変更された場合、情報管理端末１０は、アラート表示が可能な形式の伝達情報を生成するようにしている。これにより表示部での確認が容易になる。また伝達情報には、検査室を案内する情報を含めても良い。
【００４５】
（２）医療機関側が管理する携帯端末１３を被検査者に持たせ、被検査者が端末固有の番号と患者識別番号（ＩＤ）を入力することにより、当該被検査者のみに情報管理端末１０から伝達情報を提供する。この場合、通信装置１２が利用される。通信装置１２は、情報管理端末１０と携帯端末１４との間で無線通信により情報の伝達を行うものである。
【００４６】
そして、被検査者が患者識別番号（ＩＤ）を入力することにより、通信装置１２を介して情報管理端末１０にアクセスし、携帯端末１３の表示部には、情報管理端末１０からの情報として、当該被検査者の検査順と、検査毎の待ち時間が表示される。また検査順や待ち時間が変更された場合には、アラート機能により表示するようにしている。また、検査室の案内を表示するようにしても良い。尚、（１），（２）において、患者ＩＤは、受付部門１２１で設定し、管理情報端末１０に登録するようにすれば良い。
【００４７】
（３）被検査者が所有している携帯端末１４（例えば携帯電話）を利用して情報を提供する。この場合も、通信装置１２が利用される。通信装置１２は、例えば携帯端末１４との間でメール通信が可能なサーバを含み、サーバに検査順や各検査の待ち時間等の情報を保存し、携帯端末１４を使ってサーバに保存しているデータを取り出すようにしたものである。
【００４８】
この場合、医療機関側は、セキュリティが保たれた状態でアクセスできる情報（例えばＵＲＬと情報開示に必要なＩＤとパスワード）を患者に提供し、このアクセス情報を被検査者自身が携帯端末１４に入力することにより、情報が提供されるようにしている。
【００４９】
こうして、被検査者に対して検査順と、検査毎の待ち時間の情報、さらには検査順や待ち時間の変更情報が通知される。
【００５０】
次に本発明の医療検査支援システムの要部の動作について、図４のフローチャートを参照して説明する。
【００５１】
図４は、画像診断装置２２０〜２４０を用いて検査を行う場合の動作フローを示すもので、ステップＳ２１は、受付装置２５０によって受付処理を行い、画像検査予約情報を登録する。例えば、患者の状態に応じて放射線撮影の検査パターン（撮影種別、検査部位など）を入力し、医用画像の撮影オーダーの予約受付けを行う。
【００５２】
次のステップＳ２２では、ＲＩＳサーバ２０によって画像検査予約情報が取得され、撮影オーダーをもとに患者の検査に対応可能な画像診断装置を選択する。次のステップＳ２３では、装置（検査室）の使用状況をチェックする。ここでＲＩＳサーバ２０は、先に述べた図３（ｂ）のフローチャートにしたがって検査室毎に患者の待ち時間を計算して、最も待ち時間の少ない検査室を決定し、検査の実施を振り分ける。
【００５３】
次のステップＳ２４において、受付装置２５０は振り分けされた検査室（撮影待ちの装置）に対して予約情報を送信する。一方、これと並行して情報管理端末１０は、ＲＩＳサーバ２０によって算出された待ち時間情報を入手し、ステップＳ２５において被検査者に対して検査順、混雑度情報（待ち時間情報）を提供する。
【００５４】
また、検査部門１３１，１３２での検査を要する場合は、同様の手法で検査室の振り分けが行われ、患者に対して検査順、待ち時間等の情報が提供される。
【００５５】
一方、患者に対する情報の提供方法は、受付部門１２０での受付時に患者の希望を確認しておき、前述した（１）〜（３）の方法を選択させると良い。被検査者が携帯電話１４を保有しない場合もあるため、一般的には、医療機関側の設備、例えば情報端末１１や携帯端末１３を利用する方法が適している。この場合、受付部門１２０では、患者毎にＩＤやパスワードを設定して、患者にＩＤカード１５を渡すか、ＩＤやパスワードを患者に教えることで、任意の場所で患者は待ち時間や検査順を知ることが可能となる。
【００５６】
待ち時間や検査順は、前の患者の検査が終了すれば順次更新されるため、自身の待ち時間が残り少なくなった時点で、再度、情報端末１１や携帯端末１３、１４を利用して確認すれば、検査の時間が迫っていることを確認でき、検査室に行けばよい。したがって待合室などの特定の場所で待つ必要がなくなる。また、前の患者の検査が延びて待ち時間が変更になった場合も、変更情報を確認することにより予め知ることができる。こうして、自身の検査の時間になるとステップＳ２６で検査・撮影が実施される。
【００５７】
図５は、被検査者が「単純X線撮影検査」、「血液検査」等の複数の検査を行う場合の医療検査支援システムの動作を示すフローチャートである。
【００５８】
図５において、ステップＳ３１では、診療部門１２２において被検査者の検査項目が入力される。例えば「単純X線撮影検査」及び「血液検査」が必要であれば、それらの項目が入力される。
【００５９】
次のステップＳ３２では、画像診断装置等の検査装置毎にそれぞれ検査所要時間が算出される。即ち、ここでは例えばＲＩＳサーバ２０によって最も待ち時間の少ない検査室を決定し、検査室の振り分けが行われるが、そのとき検査の所要時間と待ち時間の情報が被検査者別に算出される。また他の検査、例えば血液検査が必要であれば、検体検査部門１３２はその所要時間を算出する。検査する被検査者の人数が多ければそれに合せて待ち時間が決まる。
【００６０】
ステップＳ３３では、上記した所要時間の情報及び待ち時間の情報が情報管理端末１０に送られ、情報管理端末１０では、待ち時間を考慮して被検査者毎に検査順を決め、合せて検査項目毎の待ち時間を登録する。
【００６１】
次のステップＳ３４では、被検査者が検査順と待ち時間を確認する。ここで被検査者は、例えば情報端末１１を利用して自己のＩＤを入力するかＩＤカード１５を挿入することでログインし、情報端末１１に表示される自己の検査順と待ち時間を確認することになる。
【００６２】
その後、ステップＳ３５において、被検査者は自己の検査または撮影時間になると検査室に行き、検査を実施することになる。そしてステップＳ３６で検査を終了する。
【００６３】
以上の動作は、検査が当初に設定した順番通りに行われ、待ち時間に変更がない場合を説明したものであるが、途中で待ち時間が変更になったときの動作を、図６を参照して説明する。待ち時間の変更は、緊急の患者の撮影が組み込まれたり、前の被検査者の撮影が長引いたりした場合等に発生する。
【００６４】
図６において、ステップＳ４１からステップＳ４５までは図５のステップＳ３１からステップＳ３５と同じであるが、例えばステップＳ４５において予定以上に検査が長引いた場合は、ステップＳ４６で待ち時間の変更が行われる。
【００６５】
待ち時間の変更があった場合、検査部門１３１，１３２や、ＲＩＳサーバ２０等は、ステップＳ４２に戻って被検査者別に検査の所要時間と待ち時間を算出し直す。また、画像診断装置の撮影において前の患者の撮影時間が長引くような場合は、その間に他の検査を割り込ませるように検査順を変更することもあり、ステップＳ４３では、修正された検査順と待ち時間が新たに登録されることになる。
【００６６】
こうして変更された検査順と待ち時間を被検査者に対して通知可能となる。この場合、変更があったことをアラート機能により通知するようにしても良い。これにより被検査者は変更があったことを容易に確認することができる。
【００６７】
このように、本発明の一実施形態によれば、複数の検査項目がある場合、検査機器の混み具合や検査技師の技量をもとに最短の待ち時間で検査室を振り分けることができる。また検査の順番や、各検査に要する待ち時間を被検査者にリアルタイムで提供することができるため、被検査者は、自己の検査順や待ち時間を任意の場所で知ることができる。また、検査順や待ち時間に変更があった場合でも、被検査者はそれを確認するができ、被検査者は効率よく検査を受けることが可能となる。
【００６８】
尚、以上の説明に限定されることなく、特許請求の範囲を逸脱しない範囲で種々の変形が可能である。
【図面の簡単な説明】
【００６９】
【図１】本発明の一実施形態に係る医療検査支援システムを示すシステム図。
【図２】本発明の一実施形態における振り分け部の構成を示すブロック図。
【図３】同実施形態における振り分け部の動作を説明するフローチャート。
【図４】本発明の一実施形態に係る医療検査支援システムの要部の動作を説明するフローチャート。
【図５】本発明の一実施形態に係る医療検査支援システムの全体の動作を説明するフローチャート。
【図６】同実施形態において待ち時間の変更があったときの動作を説明するフローチャート。
【符号の説明】
【００７０】
１０…情報管理端末
１１…情報端末
１２…通信装置
１３，１４…携帯端末
１５…識別用の媒体
２０…ＲＩＳサーバ（振り分け部）
３０…データベース
４０…演算部
１００…ＨＩＳ
１１０…ネットワーク
１２１，１２２…各部門の端末装置
１３１，１３２…検査部門
２００…ＲＩＳ
２１０…ネットワーク
２２０〜２４０…画像診断装置（検査機器）
２５０…受付装置
【図１】
2009134424.tif 000003
【図２】
2009134424.tif 000004
【図３】
2009134424.tif 000005
【図４】
2009134424.tif 000006
【図５】
2009134424.tif 000007
【図６】
2009134424.tif 000008